(57)【要約】【課題】記憶媒体に記憶された動画コンテンツを、ユーザーの所望の時点から開始可能とした動画再生装置を提供すること。【解決手段】ランダムアクセス可能な記憶媒体に記憶された動画コンテンツを再生する動画再生装置であって、前記動画コンテンツの識別情報を設定する識別情報設定手段と、ユーザー操作に従って仮想チャプターを設定可能な仮想チャプター設定手段と、書き換え可能な不揮発性メモリと、を備え、前記仮想チャプター設定手段により設定された仮想チャプターを、前記識別情報設定手段により設定された識別情報と共に前記不揮発性メモリに記憶させ、前記動画コンテンツの再生時には、前記仮想チャプター設定手段により設定された仮想チャプターから再生開始可能としたことを特徴とする、動画再生装置。【選択図】図１
2011124780.tif 000002
【特許請求の範囲】
【請求項１】
ランダムアクセス可能な記憶媒体に記憶された動画コンテンツを再生する動画再生装置であって、
前記動画コンテンツの識別情報を設定する識別情報設定手段と、
ユーザー操作に従って仮想チャプターを設定可能な仮想チャプター設定手段と、
書き換え可能な不揮発性メモリと、を備え、
前記仮想チャプター設定手段により設定された仮想チャプターを、前記識別情報設定手段により設定された識別情報と共に前記不揮発性メモリに記憶させ、
前記動画コンテンツの再生時には、前記仮想チャプター設定手段により設定された仮想チャプターから再生開始可能としたことを特徴とする、
動画再生装置。
【請求項２】
前記記憶媒体に記憶された動画コンテンツにチャプターが設定されている場合には、該記憶媒体に記憶された動画コンテンツに設定されているチャプターと、前記仮想チャプター設定手段により設定された仮想チャプターとを併せて、前記識別情報設定手段により設定された識別情報と共に前記不揮発性メモリに記憶させることを特徴とする、
請求項１に記載の動画再生装置。
【請求項３】
前記不揮発性メモリに記憶された前記チャプター及び前記仮想チャプターを、ユーザーにより編集可能としたことを特徴とする、
請求項２に記載の動画再生装置。
【発明の詳細な説明】
【技術分野】
【０００１】
本発明は、ＤＶＤ（Digital  Versatile  Disc）等の記憶媒体に記憶された動画コンテンツを再生する動画再生装置に関に関する。
【背景技術】
【０００２】
従来、ＤＶＤ等の記憶媒体に記憶された動画コンテンツを再生する再生装置が実用化されている。ＤＶＤ等に記憶された動画コンテンツは、内容に応じてチャプター（区切り）が設定されているのが通常であり、視聴者は各チャプターから再生開始することが可能である。
【０００３】
こうした記憶媒体のうちＤＶＤ−ＲＷ（Digital  Versatile  Disc-Recordable）やＤＶＤ−ＲＡＭ（Random  Access  Memory）等では、記憶されたコンテンツを編集可能であるが、映画やコンサート等が記憶された市販のＤＶＤでは、記憶されたコンテンツを編集することができない。このため、視聴者が前述したチャプター以外の所望の時点から再生を行おうとする場合、いずれかのチャプターから早送り又は巻き戻しによって所望の時点まで進める（又は戻す）必要がある。市販のＤＶＤにおけるチャプターの位置は、編集者の意図に基づくものであり、必ずしも視聴者の意図に沿うものではない。
【０００４】
また、編集可能な記憶媒体に記憶されたコンテンツを再生する場合であっても、再生専用装置では編集が不可能である。従って、上記と同様に、視聴者が前述したチャプター以外の所望の時点から再生を行おうとする場合、いずれかのチャプターから早送り又は巻き戻しによって所望の時点まで進める（又は戻す）必要がある。
【０００５】
これに関連し、利用者が録画予約したコンテンツを録画し、更に利用者がチャプタデータを作成し管理することを可能としたチャプター情報管理方法についての発明が開示されている（例えば、特許文献１参照）。
【先行技術文献】
【特許文献】
【０００６】
【特許文献１】特開２００５−２１７８７５号公報
【発明の概要】
【発明が解決しようとする課題】
【０００７】
しかしながら、上記特許文献１に記載の発明は、ハードディスクやＤＶＤ−ＲＡＭ等、書き換え可能な記憶媒体にコンテンツを記憶し、従って記憶されたコンテンツを編集可能であることが前提となっている。従って、市場に広く流通している、書き換え不能な記憶媒体に記憶された動画コンテンツを再生する装置に適用することはできない。また、再生専用装置に適用することもできない。
【０００８】
本発明はこのような課題を解決するためのものであり、記憶媒体に記憶された動画コンテンツを、ユーザーの所望の時点から開始可能とした動画再生装置を提供することを、主たる目的とする。
【課題を解決するための手段】
【０００９】
上記目的を達成するための本発明の一態様は、
ランダムアクセス可能な記憶媒体に記憶された動画コンテンツを再生する動画再生装置であって、
前記動画コンテンツの識別情報を設定する識別情報設定手段と、
ユーザー操作に従って仮想チャプターを設定可能な仮想チャプター設定手段と、
書き換え可能な不揮発性メモリと、を備え、
前記仮想チャプター設定手段により設定された仮想チャプターを、前記識別情報設定手段により設定された識別情報と共に前記不揮発性メモリに記憶させ、
前記動画コンテンツの再生時には、前記仮想チャプター設定手段により設定された仮想チャプターから再生開始可能としたことを特徴とする、
動画再生装置である。
【００１０】
この本発明の一態様によれば、仮想チャプター設定手段により設定された仮想チャプターを、識別情報設定手段により設定された識別情報と共に不揮発性メモリに記憶させ、動画コンテンツの再生時には、仮想チャプター設定手段により設定された仮想チャプターから再生開始可能としているため、記憶媒体に記憶された動画コンテンツをユーザーの所望の時点から開始することができる。
【００１１】
本発明の一態様において、
前記記憶媒体に記憶された動画コンテンツにチャプターが設定されている場合には、該記憶媒体に記憶された動画コンテンツに設定されているチャプターと、前記仮想チャプター設定手段により設定された仮想チャプターとを併せて、前記識別情報設定手段により設定された識別情報と共に前記不揮発性メモリに記憶させることを特徴とするものとしてもよい。
【００１２】
こうすれば、チャプター又は仮想チャプターから再生開始する際の処理が容易となり、また後にユーザーにより編集させる際の操作も簡易なものとなる。
【００１３】
また、本発明の一態様において、
前記不揮発性メモリに記憶された前記チャプター及び前記仮想チャプターを、ユーザーにより編集可能としたことを特徴とするものとしてもよい。
【発明の効果】
【００１４】
本発明によれば、記憶媒体に記憶された動画コンテンツを、ユーザーの所望の時点から開始可能とした動画再生装置を提供することができる。
【図面の簡単な説明】
【００１５】
【図１】本発明の一実施例に係る動画再生装置１の外観構成及び内部構成を示す透視図である。
【図２】表示装置２０がＤＶＤ再生を行っている場合の表示画面を例示した図である。
【図３】仮想チャプター追加スイッチ２０Ｆがタッチされた場合の表示画面を例示した図である。
【図４】仮想チャプター追加が確定した場合の表示画面を例示した図である。
【図５】光ディスク５０がＤＶＤプレーヤー１０に装着されて動画コンテンツが再生開始されたときに、制御装置４０により実行される準備処理の流れを示すフローチャートである。
【図６】動画コンテンツが再生開始された後に、制御装置４０により実行される仮想チャプター設定処理の流れを示すフローチャートである。
【図７】チャプター情報と仮想チャプター情報が共に記憶されたデータテーブルの一例である。
【図８】プレーヤー１０が光ディスク５０に記憶された動画コンテンツを再生している場合の表示画面を例示した図である。
【図９】最も近い仮想チャプターまで再生画面がジャンプした様子を示す図である。
【図１０】制御装置４０により実行されるチャプター送り（及び戻し）処理の流れを示すフローチャートである。
【発明を実施するための形態】
【００１６】
以下、本発明を実施するための形態について、添付図面を参照しながら実施例を挙げて説明する。
【実施例】
【００１７】
以下、図面を参照し、本発明の一実施例に係る動画再生装置１について説明する。
【００１８】
動画再生装置１は、例えば映画やコンサートなどの動画コンテンツが記憶された光ディスク（例えば、DVD-Video）に記録されているＭＰＥＧ−２形式等のデジタルデータを読み取り、動画信号や音声信号を出力する装置である。
【００１９】
光ディスクは、著作権者等の正当な権利者の許可を得て製造された記憶媒体であり、ユーザーが書き換えを行うことはできない。また、光ディスクは、ランダムアクセス可能な記憶媒体であって、コンテンツを再生するためのデジタルデータが記録されている。このデジタルデータは、高精細動画像データであるHigh  Definition映像で表現された映画コンテンツなどのＡＶストリーム、Ｍｅｎｕなどを表現する際に利用される画像データファイル、効果音や副音声等を収録した音声データ、字幕等を収録した副映像データ、コンテンツ再生を制御できるアプリケーション等を収録したアプリケーションデータ等を含む。
【００２０】
また、光ディスクには、利用を許容する地域情報（リージョンコード）と、そのリージョンコードの有効期間を定めた期間データとが記録されている場合がある。この場合、動画再生装置１は、リージョンコードチェック処理を行って、再生が許容されるか否かを判断する。
【００２１】
図１は、本発明の一実施例に係る動画再生装置１の外観構成及び内部構成を示す透視図である。動画再生装置１は、ＤＶＤプレーヤー１０と、表示装置２０と、メモリ３０と、制御装置４０と、を備える。なお、係る構成は、車両に搭載されるのに適した構成であり、以下の説明では動画再生装置１が車両に搭載されるものとして説明するが、本発明は車両に搭載される装置に限定されず、表示装置が別体（テレビジョン受信機等）であっても構わない。また、ＤＶＤ以外の光学式記憶媒体（CD、Bluray  Disc（登録商標）等）に対応可能なものであってもよい。
【００２２】
ＤＶＤプレーヤー１０は、光ディスク５０が搭載される回転駆動部と、赤色レーザーを発するレーザー光源、及びフォトディテクタ(photo  detector)を有する光ピックアップを備える。
【００２３】
レーザー光源から送出されたレーザー光は、光ディスク５０の記録面上でスポットが最小となるように調整される。記録面上で反射したレーザー光は、フォトディテクタで集光され、データに変換される。なお、複数種類の記憶媒体に対応可能とする場合、波長の異なるレーザー光を発する複数のレーザー光源を有するものとしてよい。
【００２４】
そして、ＤＶＤプレーヤー１０は、フォトディテクタによって変換されたデータをデコードし、画像信号や音声信号を出力する。画像信号は、表示装置２０及び制御装置４０に出力される。一方、音声信号は、図示しないスピーカーによって音声出力に変換される。
【００２５】
表示装置２０は、例えばＴＦＴモニターである。ＴＦＴモニターは、モニターの各ドットを薄膜トランジスタで制御しており、画面のちらつきを抑制すると共にコントラストや応答速度の改善を実現している。
【００２６】
また、表示装置２０は、タッチパネルとして構成されている。すなわち、表示装置２０は、画面上の所定の位置にＧＵＩ（Graphical  User  Interface）スイッチを設定し、画面上における電圧変化等を検出してユーザーのタッチ位置を認識する。なお、タッチ位置を検出する手法は種々公知となっており、如何なる手法を用いてもよい。
【００２７】
メモリ３０は、書き換え可能な不揮発性メモリである。例えば、ＥＥＰＲＯＭ（Electronically  Erasable  and  Programmable  Read  Only  Memory）、ＨＤＤ等が好適に用いられる。なお、車載バッテリーから常時電力供給されるＲＡＭであっても構わない。
【００２８】
制御装置４０は、例えば基板上にＣＰＵ、ＲＡＭ、ＲＯＭ（Video  ROMを含む）、グラフィックカード、Ｉ／Ｏ、カウンタ等が搭載されたマイクロコンピュータである。メモリ３０は制御装置４０と同一基板上に搭載されてよい。
【００２９】
また、制御装置４０は、ＤＶＤプレーヤー１０が出力した画像信号に、例えばＲＯＭに記憶されている画像を合成・追加等して表示装置２０に表示させる。本実施例の場合、表示装置２０は、カーオーディオやカーエアコン、カーナビゲーションシステム等の他の車載装置のユーザーインターフェースとしても用いられ得るため、制御装置４０は、カーオーディオ用設定画面、カーエアコン用設定画面、ナビゲーション表示画面等、ユーザーにより選択された画面をＲＯＭから読み込んで表示させる。
【００３０】
更に、制御装置４０は、光ディスク５０に記憶された動画コンテンツに元々設定されているチャプターに加えて、ユーザーにより所望のタイミングでチャプター（仮想チャプター）を追加設定させるための処理を実行する。以下、これについて説明する。
【００３１】
図２〜図４は、ユーザーがＤＶＤ再生を選択しており、プレーヤー１０が光ディスク５０に記憶された動画コンテンツを再生している場面における、画面遷移例である。
【００３２】
図２は、表示装置２０がＤＶＤ再生を行っている場合の表示画面を例示した図である。表示装置２０は、動画コンテンツを表示するコンテンツ画面２０Ａ、及び経過時間情報２０Ｂを表示している。
【００３３】
また、表示装置２０は、その画面上に、コンテンツ画面２０Ａを全画面表示に変更するためのＦｕｌｌＳｃｌｅｅｎスイッチ２０Ｃ、ＤＶＤメニュー画面に戻すためのＭｅｎｕスイッチ２０Ｄ、各種設定変更のためのＳｅｔｔｉｎｇスイッチ２０Ｅ、仮想チャプターを設定するための仮想チャプター追加スイッチ２０Ｆ、巻き戻し、停止、再生、早送り等を行うための操作スイッチ２０Ｇ等のＧＵＩスイッチを設定している。ユーザーがこれらのスイッチにタッチすると、それぞれに応じた信号が制御装置４０に出力され、制御装置４０は入力された信号に応じた処理を実行する。
【００３４】
図２の画面においてユーザーが仮想チャプター追加スイッチ２０Ｆにタッチすると、制御装置４０は図３の画面に遷移するように表示装置２０に指示する。図３は、仮想チャプター追加スイッチ２０Ｆがタッチされた場合の表示画面を例示した図である。図示するように、仮想チャプター追加スイッチ２０Ｆがタッチされると、動画コンテンツが拡大表示されると共に、仮想チャプター追加の確認のための確認表示画面２０Ｈが表示される。この確認表示画面２０Ｈには、Ｙｅｓスイッチ２０Ｉ、Ｎｏスイッチ２０Ｊが設定される。
【００３５】
図３の画面においてユーザーがＮｏスイッチ２０Ｊをタッチすると、制御装置４０は図２の画面に戻るように表示装置２０に指示する。一方、図３の画面においてユーザーがＹｅｓスイッチ２０Ｉをタッチすると、制御装置４０は図４の画面に遷移するように表示装置２０に指示する。なお、図３の画面が表示されてから一定時間経過後にＹｅｓスイッチ２０Ｉ、Ｎｏスイッチ２０Ｊのいずれもタッチされなかった場合は、Ｎｏスイッチ２０Ｊが操作されたものとみなして処理を行ってよい。
【００３６】
図４は、仮想チャプター追加が確定した場合の表示画面を例示した図である。表示装置２０は、図４に示した画面を一定時間（例えば０コンマ数［ｓｅｃ］〜数［ｓｅｃ］程度）表示した後に、図２の画面に戻る。
【００３７】
仮想チャプター追加が確定すると、制御装置４０は仮想チャプターの時刻情報等（以下、仮想チャプター情報と称する）をメモリ３０に記憶させる。なお、本実施例における時刻とは、現実の時刻ではなく、動画コンテンツの再生開始時点からの経過時間を意味する（以下同じ）。仮想チャプター情報は、単独でメモリ３０に記憶させてもよいが、光ディスク５０に記憶された動画コンテンツに元々設定されているチャプターと共にテーブル形式で記憶させると好適である。制御装置４０は、そのための準備処理として以下の処理を実行する。
【００３８】
図５は、光ディスク５０がＤＶＤプレーヤー１０に装着されて動画コンテンツが再生開始されたときに、制御装置４０により実行される準備処理の流れを示すフローチャートである。
【００３９】
まず、制御装置４０は、ＤＶＤプレーヤー１０を介して光ディスク５０に記憶されているファイル構成を読み取る（Ｓ１００）。本ステップで読み取るファイル構成は、例えば、タイトル数、チャプター開始時刻及びチャプター時間（以下、これらをチャプター情報と称する）等を含む。また、動画コンテンツの識別番号等を含んでもよい。
【００４０】
次に、読み込んだファイル構成が以前に読み込んだものと一致するか否かを判定する（Ｓ１０２）。以前に読み込んだファイル構成は、後述するように、付与されたファイルＩＤと共に、メモリ３０に記憶されている。
【００４１】
読み込んだファイル構成が以前に読み込んだものと一致する場合は、当該動画コンテンツに対応するチャプター情報、及び以前に追加設定された仮想チャプター情報をメモリ３０から読みこみ（Ｓ１０４）、これらを用いて動画コンテンツの再生制御を行う。
【００４２】
一方、読み込んだファイル構成が以前に読み込んだものと一致しない場合は（新規な動画コンテンツを再生する場合は）、ファイル構成にファイルＩＤを付与してメモリ３０に記憶させ（Ｓ１０６）、これを用いて動画コンテンツの再生制御を行う。
【００４３】
なお、光ディスク５０に記憶されているファイル構成が既に識別番号等を含んでいる場合、ファイルＩＤを付与せずに識別番号をそのまま用いてもよい。
【００４４】
このようにして再生開始時の準備処理を行うと、制御装置４０は、動画コンテンツの再生制御を実行し、併せて以下の処理を実行する。
【００４５】
図６は、動画コンテンツが再生開始された後に、制御装置４０により実行される仮想チャプター設定処理の流れを示すフローチャートである。
【００４６】
まず、ユーザーによって仮想チャプター追加スイッチ２０Ｆがタッチされるまで待機する（Ｓ２００）。
【００４７】
ユーザーによって仮想チャプター追加スイッチ２０Ｆがタッチされると、その時点の時刻及び次のチャプター（又は仮想チャプター）までの時間を、仮想チャプター情報として追加する（Ｓ２０２）。
【００４８】
追加された仮想チャプター情報は、チャプター情報と共にテーブル形式でメモリ３０に記憶される。図７は、チャプター情報と仮想チャプター情報が共に記憶されたデータテーブルの一例である。図中、数字で示されたラベルを有する情報がチャプター情報を示しており、アルファベットで示されたラベルを有し、斜線で囲まれた情報が仮想チャプター情報を示している。
【００４９】
図８及び図９は、プレーヤー１０が光ディスク５０に記憶された動画コンテンツを再生している場面において、トラックアップ操作（次のチャプター又は仮想チャプターまで動画コンテンツをスキップする指示操作をいい、チャプター送りと称してもよい）がなされた前後の画面遷移例である。
【００５０】
図８は、プレーヤー１０が光ディスク５０に記憶された動画コンテンツを再生している場合の表示画面を例示した図である。なお、本図においては、表示装置２０の表示画面の脇にトラックアップ（ダウン）スイッチ２２が設けられているものとした。
【００５１】
図８の場面においてユーザーがトラックアップ操作を行うと、制御装置４０は、チャプター情報と仮想チャプター情報を検索して最も近い次のチャプター又は仮想チャプターを抽出し、最も近いチャプター又は仮想チャプターまでの動画コンテンツをスキップさせる。図９は、最も近い仮想チャプターまで再生画面が移動した様子を示す図である。
【００５２】
図１０は、制御装置４０により実行されるチャプター送り（及び戻し）処理の流れを示すフローチャートである。
【００５３】
まず、トラックアップ（ダウン）スイッチ２２が操作されるまで待機する（Ｓ３００）。
【００５４】
トラックアップ（ダウン）スイッチ２２が操作されると、トラックアップ操作がなされたか否かを判定する（Ｓ３０２）。
【００５５】
トラックアップ操作がなされた場合は、その時点の時刻を用いてメモリ３０に記憶されたチャプター情報と仮想チャプター情報を検索し、最も近い次のチャプター又は仮想チャプターを抽出し（Ｓ３０４）、最も近いチャプター又は仮想チャプターまでの動画コンテンツをスキップさせる（Ｓ３０６）。
【００５６】
一方、トラックアップ操作がなされなかった場合は（すなわちトラックダウン操作がなされた場合は）、その時点の時刻を用いてメモリ３０に記憶されたチャプター情報と仮想チャプター情報を検索し、現在再生中のチャプター又は仮想チャプターを抽出し（Ｓ３０８）、現在再生中のチャプター又は仮想チャプターまで動画コンテンツを巻き戻す（Ｓ３１０）。
【００５７】
以上説明した本実施例の動画再生装置１によれば、ユーザーにより所望のタイミングで仮想チャプターを設定することができる。従って、本来、編集不能な記憶媒体に記憶されている動画コンテンツについても、所望のタイミングから開始可能とすることができる。
【００５８】
この結果、例えばコンサートを再生する動画コンテンツにおいて、ＭＣ（ミュージシャンが発話をすること）が終わったタイミングで仮想チャプターを設定しておけば、次に再生する際にＭＣをスキップさせる等の利用態様が可能となり、ユーザーの利便性が高まることになる。
【００５９】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００６０】
例えば、表示装置２０はタッチパネル式の表示装置に限定されず、通常のテレビジョン表示画面であってよい。この場合、仮想チャプターを追加するための操作は、リモコンや動画再生装置本体に設けられたスイッチ等によって行うものとすればよい。
【００６１】
また、図１０で例示したデータテーブル自体を表示可能な構成とし、ユーザーがチャプターや仮想チャプターを直接編集できるようにしてもよい。例えばデータテーブルを表示装置２０に表示し、スクロールカーソルによってユーザーが選択したチャプターを削除、或いは時間変更等させる。こうすれば、仮想チャプターの削除等の編集を容易に行うことができる。
【符号の説明】
【００６２】
１    動画再生装置
１０    ＤＶＤプレーヤー
２０    表示装置
２０Ａ  コンテンツ画面
２０Ｂ  経過時間情報
２０Ｃ  ＦｕｌｌＳｃｌｅｅｎスイッチ
２０Ｄ  Ｍｅｎｕスイッチ
２０Ｅ  Ｓｅｔｔｉｎｇスイッチ
２０Ｆ  仮想チャプター追加スイッチ
２０Ｇ  操作スイッチ
２０Ｈ  確認表示画面
２０Ｉ  Ｙｅｓスイッチ
２０Ｊ  Ｎｏスイッチ
２２    トラックアップ（ダウン）スイッチ
３０    メモリ
４０    制御装置
５０    光ディスク
【図１】
2011124780.tif 000003
【図２】
2011124780.tif 000004
【図３】
2011124780.tif 000005
【図４】
2011124780.tif 000006
【図５】
2011124780.tif 000007
【図６】
2011124780.tif 000008
【図７】
2011124780.tif 000009
【図８】
2011124780.tif 000010
【図９】
2011124780.tif 000011
【図１０】
2011124780.tif 000012